(57)【特許請求の範囲】
【請求項１】
載置器本体に設けられ、携帯情報端末を載置するための載置部と、
前記載置部にこれとほぼ直角をなすように設けられた側壁部と、
前記載置器本体の内部に設けられ、載置された前記携帯情報端末の光通信部と光による通信を行なう発光素子及び受光素子を有する光通信器と、
この光通信器から前記携帯情報端末の光通信部への通信光をほぼ直角に折り曲げる反射部と、
前記側壁部に設けられ通信光を透過する透過窓と、
前記載置器本体とは別部材であるキャップとを備え、
前記反射部は、前記キャップに設けられ、且つ、このキャップには前記反射部の他にフィルタ部が設けられ、
前記キャップを、前記フィルタ部が前記透過窓に配置される形態で前記載置器本体に設け、
前記反射部及び前記透過窓の少なくとも一方によって前記通信光が通過する範囲を制限することを特徴とする携帯情報端末用載置器。
【請求項２】
前記透過窓によって前記通信光が通過する範囲を制限することを特徴とする請求項１記載の携帯情報端末用載置器。
【請求項３】
前記載置器本体における前記載置部側部には、電装品収容部が形成され、
この電装品収容部において前記携帯情報端末の前記光通信部と対向する前記側壁部は、前記載置部の載置面とほぼ垂直をなし、
前記透過窓は、この電装品収容部の前記側壁部に横向きに開口され、
前記電装品収容部に回路基板が前記側壁部とほぼ平行状態に配設され、且つ、この回路基板に当該回路基板面と平行な光軸をなすよう前記光通信器を設置したことを特徴とする請求項1又は２に記載の携帯情報端末用載置器。
【請求項４】
前記反射部は反射鏡またはプリズムで構成されていることを特徴とする請求項１ないし３のいずれかに記載の携帯情報端末用載置器。
【請求項５】
光軸は前記載置面に対して垂直である請求項１ないし４のいずれかに記載の携帯情報端末用載置器。
【請求項６】
前記電装品収容部の上壁部には、光表示部が設けられ、
前記回路基板には、この光表示部から光を放出する光表示素子が実装されていることを特徴とする請求項３記載の携帯情報端末用載置器。
【請求項７】
前記載置器本体における載置部側部から下部にかけて、前記電装品収容部が形成され、この電装品収容部において前記携帯情報端末の前記光通信部と対向する前記側壁部は、前記載置部の載置面とほぼ垂直をなし、
前記透過窓は、前記側壁部に横向きに開口され、
前記電装品収容部における前記載置部下方の部分に回路基板が前記載置面とほぼ平行状態に配設され、且つ、この回路基板に当該回路基板面と平行な光軸となるよう前記光通信器を設置し、この光通信器に近い光路上に第２の反射部を備えたことを特徴とする請求項１又は２に記載の携帯情報端末用載置器。
【請求項８】
前記反射部と前記第２の反射部とは一体の導光体として形成されていることを特徴とする請求項７に記載の携帯情報端末用載置器。
【請求項９】
前記キャップは前記反射部と一体に形成されていることを特徴とする請求項１ないし８のいずれかに記載の携帯情報端末用載置器。
【請求項１０】
前記載置器本体には取付部が形成され、前記キャップには嵌合部が形成され、
前記キャップは、前記嵌合部が前記取付部に嵌合され、このキャップのばね力によって前記載置器本体に固定されていることを特徴とする請求項１ないし９のいずれかに記載の携帯情報端末用載置器。
【発明の詳細な説明】
【０００１】
【発明の属する技術分野】
本発明は、バーコードハンディターミナル（以下、ＢＨＴという）などの携帯情報端末を載置して光通信を行なう携帯情報端末用載置器に関する。
【０００２】
【発明が解決しようとする課題】
図８には、この種の携帯情報端末用載置器の一例が示されている。携帯情報端末用載置器１の本体である載置器本体２には、ＢＨＴ３が載置される載置部４ａ及び４ｂが形成されている。この載置部４ａ、４ｂは凹陥状に形成されている。この載置器１はＢＨＴ３と光通信によりデータの伝送を行なうようになっており、その構成が図９に示されている。載置部４ａの側部には、電装品収容部５が形成されており、その側壁部５ａには透過窓６が形成されている。そして、この電装品収容部５の内部には、発光素子７ａ及び受光素子（図示せず）を有する光通信器７が設けられている。
【０００３】
この発光素子７ａ及び受光素子は、前記透過窓６を介してＢＨＴ３側の光通信部３ａと光通信する構成である。
ところが、上記従来構成では、光通信器７の通信光（発光素子７ａからの出力光及び受光素子への入力光）が単に透過窓６を通してＢＨＴ３側に伝送する構成であるため、通信光８（一点鎖線８ａ、８ａで示す範囲）としては比較的広い領域となる。通信光８領域が比較的広いことは、一般的には利点ではあるが、携帯情報端末と光通信する携帯情報端末用載置器においては、欠点となることが多い。すなわち、ＢＨＴ３などの携帯情報端末と載置器１との間でデータ通信する場合には、複数の載置器１と複数のＢＨＴ３とを並べて、行なうことも考えられる。そのような場合に、載置器１と、これとデータ通信すべき関係にないＢＨＴ３（この載置器１に載置されていないＢＨＴ）との間でデータが誤って伝送されるおそれがある。
【０００４】
本発明は上記事情に鑑みてなされたものであり、その目的は、載置部に載置された携帯情報端末のみと確実に光通信できる携帯情報端末用載置器とを提供するにある。
【０００５】
【課題を解決するための手段】
上記目的を達成するために採用した請求項１の発明によれば、光通信器から携帯情報端末の光通信部への通信光を折り曲げる反射部と、通信光を透過する透過窓とを備え、この反射部及び透過部の少なくとも一方によって通信光が通過する範囲を制限するから、通信光の幅を小さくすることが可能となり、載置部に載置された携帯情報端末のみと確実に光通信できる。つまり、光通信器の光通信を単に透過窓を介して行なう構成（従来構成）であると、光通信器と透過窓との距離をかなり離さなければ光路の広がりつまり通信光の広がりを制限できないものであるが、上記請求項１の発明によれば、上述したように通信光の幅を小さくすることが可能となるものである。特に、反射部を用いた構成であるから、通信光の光路設定の自由度も高くなる。
【０００６】
また、請求項１の発明によれば、載置部にこれとほぼ直角をなすように設けられた側壁部に、透過窓を設け、反射部を、通信光をほぼ直角に反射させるようにしたから、透過窓とほぼ直角方向の位置に光通信器を配置することができる。さらにまた請求項１の発明によれば、反射部を、載置器本体とは別部材であるキャップに設け、このキャップに反射部の他にフィルタ部を設け、このキャップを、フィルタ部が透過窓に配置される形態で載置器本体に設ける構成としたから、透過窓の閉鎖と通信光以外の遮光と反射部の取付とを、一度に行なうことができる。
【０００７】
この場合、透過部によって通信光が通過する範囲を制限するようにしても良い（請求項２の発明）。
また、載置器本体における載置部側部に、電装品収容部を形成し、この電装品収容部において携帯情報端末の光通信部と対向する側壁部を、載置部の載置面とほぼ垂直をなすように形成し、透過窓を、前記側壁部に横向きに開口するように形成し、この電装品収容部に、回路基板を前記側壁部とほぼ平行状態に配設し、この回路基板に、この回路基板面と平行な光軸をなすよう光通信器を設置しても良い（請求項３の発明）。このようにすると、載置部側部に、光通信のための電装品収容部が設けられた構成において、その電装品収容部の薄形化が図れる。
【０００８】
反射部は反射鏡またはプリズムで構成しても良い（請求項４の発明）。光軸は載置面に対して垂直としても良い（請求項５の発明）。
また、電装品収容部の上壁部に光表示部を設け、回路基板に、この光表示部から光を放出する光表示素子を実装する構成としても良く（請求項６の発明）、このようにすると、光通信のための電装品収容部及び回路基板を利用して各種の光表示を行なうことができる。
【０００９】
さらに、載置器本体における載置部側部から下部にかけて、携帯情報端末の通信部と対向する側壁部が載置部の載置面とほぼ垂直をなす電装品収容部を形成し、透過窓を、前記側壁部に横向きに開口し、電装品収容部における載置部下方の部分に、回路基板を前記載置面とほぼ平行状態に配設し、この回路基板に当該回路基板面と平行な光軸となるよう光通信器を設置し、この光通信器に近い光路上に第２の反射部を備えるようにしても良い（請求項７の発明）。
【００１０】
このようにすると、載置部側部から下部にかけてほぼＬ状の電装品収容部が設けられた構成において、その電装品収容部のＬ状なる形状に合わせて通信光の光路を形成できる。この場合、反射部と第２の反射部とは一体の導光体として形成しても良い（請求項８の発明）。
【００１１】
また、キャップは反射部と一体に形成しても良い（請求項９の発明）。
また、載置器本体に取付部を形成し、キャップに嵌合部を形成し、キャップを、その嵌合部が前記取付部に嵌合してこのキャップのばね力によって載置器本体に固定する構成としても良い（請求項１０の発明）。このようにすると、キャップの取付が容易となる。
【００１２】
【発明の実施の形態】
以下、本発明の第１の実施例について図１ないし図５を参照して説明する。まず図２及び図３において、携帯情報端末用載置器である載置器１１は、携帯情報端末例えばＢＨＴ１２を載置して光通信を行なうものであり、この載置器１１には、ＢＨＴ１２の内部バッテリを充電するための機能も有している。なお、ＢＨＴ１２には光通信部１２ａ、バーコード読取り部１２ｂ、表示部１２ｃ、入力部１２ｄなどが設けられている。
【００１３】
前記載置器１１の載置器本体１３は上ケース１４ａとこれに嵌合固定された下ケース１４ｂとから筐体状に形成されている。
上記載置器本体１３にはＢＨＴ１２を載置する載置部１５ａ及び１５ｂが形成されている。この一方の載置部１５ａは、ＢＨＴ１２の一端部（図２左部）を受けるもので、他方の載置部１５ｂは、ＢＨＴ１２の他端部（図２右部）を受けるものである。これら載置部１５ａ及び１５ｂは上ケース１４ａの側端部分を隆起（隆起部１４ｃ、１４ｄ）させることにより凹陥状に形成されている。
【００１４】
載置器本体１３における例えば一方の載置部１５ａの側部である例えば隆起部１４ｃの側部部分には、図１に示すように内部に電装品収容部１６が形成されている。この電装品収容部１６においてＢＨＴ１２の光通信部１２ａ（図３参照）と対向する側壁部１６ａは、載置部１５ａの載置面１５ｃとほぼ垂直をなす。そして、この側壁部１６ａには、図５にも示すように、透過窓１７が横向きに開口するように形成されている。この透過窓１７の上縁部には、図５に示すようにほぼ四角柱状をなす取付部１８が形成されている。そして、電装品収容部１６の上壁部１６ｂには上記取付部１８に隣接して嵌入孔１９が形成されている。さらに、この上壁部１６ｂには、図３及び図４に示すように、例えば４つの光表示部たる表示用孔２０ａ〜２０ｄが形成されている。
【００１５】
前記電装品収容部１６には、回路基板２１が側壁部１６ａとほぼ平行状態に配設されており、この回路基板２１には、光通信器２２がその光軸（便宜上符号２２ａで示す）がこの回路基板２１とほぼ平行となるように実装されている。
【００１６】
前記光通信器２２は例えば赤外線発光素子からなる発光素子２３と例えばホトトランジスタからなる受光素子２４（図２参照）とを有して構成されている。
キャップ２５は、図１及び図５に示すように、載置器本体１３とは別部材であり、赤外光以外の光を良好に遮光する材質（赤外線フィルタ材質）の合成樹脂から構成されている。このキャップ２５は、水平片部２６ａ及び垂直片部２６ｂ並びに２６ｃからなる嵌合部２６が形成されており、この嵌合部２６の一方の垂直片部２６ｂの下端部には、ほぼ４５°の角度で屈曲する形態に屈曲片部２７が形成されており、この屈曲片部２７における下向きの面には、反射効率の高い金属板（例えばアルミニウム板）からなる、通信光を折り曲げる（反射させる）反射部２８が取着されている。一方、嵌合部２６の他方の垂直片部２６ｃの下端部は、さらに下方へ延出されていて、この延出片部をフィルタ部２９としている。
【００１７】
上述のキャップ２５は、その屈曲片部２７を前記嵌入孔１９から挿入して、嵌合部２６を前記取付部２７に嵌合することにより、載置器本体１３に取り付けられている。この場合、フィルタ部２９が前記透過窓１７にこれを閉塞するように配置される。また、上記嵌合によりキャップ２５が動き止めされて、反射部２８の角度が適正に規制される。この場合、図５に示すように、光通信器２２に対する反射部２８の上下寸法Ｈａと前記透過窓１７の上下幅寸法Ｈｂとは、通信光制限に有効な幅寸法に設定されている。
【００１８】
前記電装品収容部１６の上壁部１６ｂ及びキャップ２５上面にはパネルシート３０が貼着されており、このパネルシート３０において前記表示用孔２０ａ〜２０ｄに対応する部分は透光可能な構成となっている。ここで、前記回路基板２１において、図２に示すように、上記表示用孔２０ａ〜２０ｄと対向するように光表示素子たるＬＥＤ３１ａ〜３１ｄが実装されている。これらＬＥＤ３１ａ〜３１ｄは、例えば通電中であることの表示、通信中であることの表示、充電中であることの表示、その他の表示を行なうものである。
【００１９】
図１から分かるように、光通信器２２から前記ＢＨＴ１２の光通信部１２ａへの通信光３２（一点鎖線３２ａ、３２ｂで示す範囲）が、反射部２８により反射されて透過窓１７により制限されている。なお、この通信光３２は反射部２８にて制限するようにしても良い。
【００２０】
このような本実施例によれば、反射部２８にて通信光３２を反射し、そして、この反射部２８にて反射された通信光について透過窓１７で制限するから、通信光３２の幅を小さくすることができる。特に、反射部２８を用いた構成であるから、通信光３２の経路設定の自由度も高くなる。
【００２１】
また、反射部２８を、通信光３２をほぼ直角に反射させるように設けたから、透過窓１７とほぼ直角方向の位置に光通信器２２を配置することができる。
また、透過窓１７を、電装品収容部１６の側壁部１６ａに横向きに開口するように形成し、この電装品収容部１６に、回路基板２１を側壁部１６ａとほぼ平行状態に配設し、この回路基板１６ａに光通信器２２をその光軸２２ａが該回路基板２１とほぼ平行となるように設置する構成としたから、回路基板２１や光通信器２２を電装品収容部１６内部に収容する構成でありながら、この電装品収容部１６の幅方向の薄形化（図１の左右方向の薄形化）を図ることができる。
【００２２】
つまり、電装品収容部１６に反射部２８を設けずに、回路基板２１及び光通信器２２を設ける場合、通信光を狭くするにためには、参考例として示す図１２のように、光通信器２２と透過窓１７とをかなり離間させる必要があって、電装品収容部１６の幅寸法が大きくなってしまう。しかるに上述のように構成した本実施例においては、上述したように電装品収容部１６の薄形化を図ることができるものである。
【００２３】
この場合、電装品収容部１６の上壁部１６ｂに光表示部２０ａ〜２０ｄを設け、回路基板２１に、この光表示部２０ａ〜２０ｄから光を放出するＬＥＤ３１ａ〜３１ｄを実装する構成としたから、光通信のための電装品収容部１６及び回路基板２１を利用して各種の光表示を行なうことができる。
【００２４】
さらに本実施例によれば、反射部２８を、載置器本体１１とは別部材であるキャップ２５に設け、このキャップ２５に反射部２８の他にフィルタ部２９を設け、このキャップ２５を、フィルタ部２９が透過窓１７に配置される形態で載置器本体１１に設ける構成としたから、透過窓１７の閉鎖と通信光以外の遮光と反射部２８の取付とを、一度に行なうことができる。
【００２５】
この場合、載置器本体１２に取付部１７を形成し、キャップ２５に嵌合部２６を形成し、キャップ２５を、その嵌合部２６を前記取付部１７に嵌合しばね力により載置器本体１２に固定する構成としたから、キャップ２５の取付けが容易となる。なお、キャップ２５は反射部２８と一体に形成しても良い。
【００２６】
また、図８及び図９から分かるように、電装品収容室５は、載置部の４ａの載置面と平行（側壁部２ａとほぼ垂直）な光軸の通信光８を出すようにしているため、幅広であった。しかるに、通信器２２をこれの光軸が側壁部１６ａとほぼ平行となるように設け、そして反射部２８にて透過窓２８に到達させる構成とすることで、幅寸法を小さくすることが可能で、載置器１１の小型化に寄与できるものである。この小型化を図るについては、通信光制限の必要はないものである。
【００２７】
図６は本発明の第２の実施例を示しており、この第２の実施例においては、次の点が特徴的である。すなわち、載置器本体１３における載置部１５ａ側部から下部にかけての部分を、電装品収容部４０としている。そして、電装品収容部４０における載置部１５ａ下方の部分に、回路基板２１を前記載置面１５ｃとほぼ平行状態に配設している。そして、この回路基板２１には光通信器２２をその光軸２２ａが回路基板２１とほぼ平行となるように実装している。なお第２の反射部である反射部４３（これは反射板４４に取り付けられている）は光通信器２２に近い光路上に設けられている。なお、この反射部４３は前記反射部２８と一体の導光体として形成しても良い。
【００２８】
この第２の実施例によれば、Ｌ状の電装品収容部４０が設けられた構成において、その電装品収容部４０のＬ状なる形状に合わせて通信光４５を形成できる。そして、載置部１５ａ側部の電装品収容部４０をさらに薄形化できる。また反射部４３を設ける構成としたから、通信光４５の経路設定の自由度がさらに高くなる。
【００２９】
本発明は、次のように実施しても良い。反射部としては、反射効率の高い部材であればよく、金属板やプリズムの他に、例えば、反射鏡、金属の真空蒸着層や、メッキ層、ガラスあるいは高反射率塗料、他の高反射率部材などによって構成しても良い。また、携帯情報端末としては、ＢＨＴに限られず、携帯電話や、個人情報機器（ＰＤＡ）などでも良い。
【図面の簡単な説明】
【図１】  本発明の第１の実施例を示す電装品収容部部分の縦断側面図
【図２】  ＢＨＴを載置した状態での全体の側面図
【図３】  ＢＨＴを載置部から離した状態での全体の斜視図
【図４】  電装品収容部部分のＬＥＤ部分での縦断側面図
【図５】  キャップ及び透過窓部分の分解斜視図
【図６】  本発明の第２の実施例を示す電装品収容部部分の縦断側面図
【図７】  参考例を示す図１相当図
【図８】  従来例を示す図３相当図
【図９】  図１相当図
【符号の説明】
１１は携帯情報端末用載置器、１２はＢＨＴ（携帯情報端末）、１３は載置器本体、１５ａ及び１５ｂは載置部、１６は電装品収容部、１６ａは側壁部、１７は透過窓、１８は取付部、１９は嵌入孔、２０ａ〜２０ｄは表示用孔（光表示部）、２１は回路基板、２２は光通信器、２３は発光素子、２４は受光素子、２５はキャップ、２６は嵌合部、２８は反射部、２９はフィルタ部、３１ａ〜３１ｄはＬＥＤ（光表示素子）、３２通信光、４０は電装品収容部、４３は反射部、４５は通信光を示す。
【図１】
0003796178.tif 000002
【図２】
0003796178.tif 000003
【図３】
0003796178.tif 000004
【図４】
0003796178.tif 000005
【図５】
0003796178.tif 000006
【図６】
0003796178.tif 000007
【図７】
0003796178.tif 000008
【図８】
0003796178.tif 000009
【図９】
0003796178.tif 000010